(57)【要約】【課題】複数の表示情報の遷移時間間隔を変更して、作業者の表示情報の確認作業を容易にする機器情報表示装置を提供すること。【解決手段】複数の機器情報を有する複数の表示情報を表示する表示手段８０と、表示手段８０に表示する表示情報を所定の時間間隔で遷移させる表示情報遷移手段５０とを備えた機器情報表示装置１００において、時間間隔の変更指示を検出する少なくとも一つの変更指示検出手段１１０と、変更指示検出手段１１０の検出信号に基づいて時間間隔を変更する遷移時間変更手段１２０と、を備えたことを特徴とするもの。【選択図】図１
2010133809.tif 000002
【特許請求の範囲】
【請求項１】
複数の機器情報を有する複数の表示情報を表示する表示手段と、この表示手段に表示する前記表示情報を所定の時間間隔で遷移させる表示情報遷移手段とを備えた機器情報表示装置において、
前記時間間隔の変更指示を検出する少なくとも一つの変更指示検出手段と、
この変更指示検出手段の検出信号に基づいて前記時間間隔を変更する遷移時間変更手段と、
を備えたことを特徴とする機器情報表示装置。
【請求項２】
前記遷移時間変更手段は、前記時間間隔を現在の時間間隔より長くすることを特徴とする請求項１に記載の機器情報表示装置。
【請求項３】
前記遷移時間変更手段は、前記時間間隔を現在の時間間隔より短くすることを特徴とする請求項１または２に記載の機器情報表示装置。
【請求項４】
前記遷移時間変更手段は、前記時間間隔を無限の時間間隔にして、現在の時間間隔より長くすることを特徴とする請求項２に記載の機器情報表示装置。
【請求項５】
前記遷移時間変更手段は、前記時間間隔をゼロにして、現在の時間間隔より短くすることを特徴とする請求項３に記載の機器情報表示装置。
【請求項６】
前記遷移時間変更手段は、前記時間間隔を現在の時間間隔より短くし、前記表示情報がＮ回（Ｎは自然数）遷移した後、前記時間間隔を現在の時間間隔より長くすることを特徴とする請求項３または５に記載の機器情報表示装置。
【請求項７】
前記変更指示検出手段は、前記表示手段の周囲に配置したことを特徴とする請求項１から６のいずれか一項に記載の機器情報表示装置。
【請求項８】
前記変更指示検出手段は、非接触方式によって検出することを特徴とする請求項１から７のいずれか一項に記載の機器情報表示装置。
【発明の詳細な説明】
【技術分野】
【０００１】
本発明は、機器情報表示装置に関し、特に、複数の表示情報の遷移時間間隔を変更できる機器情報表示装置に関するものである。
【背景技術】
【０００２】
化学プラントなどに用いられる分散制御システムには、ホスト装置とフィールド機器とが、フィールドバスなどのデジタル信号伝送線によって相互に接続されたシステムが知られている（非特許文献１（例えば、図１）参照）。このような分散制御システムについて、図６の構成図を用いて説明する。
【０００３】
図６において、分散制御システム１０は、ターミネータ６ａ、６ｂが両端に接続されたフィールドバス５に、ホスト装置７、被測定流体ＦＬＤが流れる配管１に設置されたフィールド機器（差圧伝送器２、流量計３、温度伝送器４）および機器情報表示装置８が接続された構成を備える。
【０００４】
差圧伝送器２は、配管１に挿入された絞り（オリフィスプレートなど）に対して高圧側または低圧側の静圧、高圧側静圧と低圧側静圧との差圧を測定する。
【０００５】
電磁流量計などの流量計３は、被測定流体ＦＬＤの流量を測定する。また、温度伝送器４は、被測定流体ＦＬＤの温度（以下、「温度１」という）、配管１の表面温度（以下、「温度２」という）などの多点の温度を測定する。
【０００６】
ホスト装置７は、差圧伝送器２、流量計３、温度伝送器４から、差圧、静圧、流量および温度の測定値を表すデジタル信号を、フィールドバス５を介して受け取り、これらを用いて圧力、流量および温度制御を行う。
【０００７】
機器情報表示装置８は、差圧伝送器２、流量計３、温度伝送器４から、測定値、タグ情報などの複数の機器情報を取得し、これらの機器情報から複数の表示情報を生成し、これらの表示情報を所定の時間間隔で遷移させながら表示する。以下に、機器情報表示装置８について説明する。
【０００８】
図７は、フィールド機器がフィールドバス５を介して接続された機器情報表示装置８の構成図である。図７において、機器情報表示装置８は、機器情報取得手段３０、表示情報生成手段４０、表示情報遷移手段５０および表示手段８０を備える。
【０００９】
また、表示情報遷移手段５０は、表示情報選択手段６０および選択起動信号生成手段７０を備え、この選択起動信号生成手段７０は、計数手段７１、比較手段７３および比較基準値ＲＥＦを備える。
【００１０】
機器情報取得手段３０は、フィールドバス５を介してフィールド機器に接続され、フィールド機器から取得した複数の機器情報を表示情報生成手段４０に出力する。
【００１１】
表示情報生成手段４０は、機器情報取得手段３０から受け取った複数の機器情報を有する複数の表示情報を生成し、この複数の表示情報を表示情報選択手段６０に出力する。
【００１２】
表示情報選択手段６０は、選択起動信号生成手段７０から入力される選択起動信号に従って、表示情報生成手段４０から受け取った複数の表示情報のうち、表示手段８０に表示させる表示情報を選択し、表示手段８０に出力する。
【００１３】
比較手段７３は、比較基準値ＲＥＦと計数手段７１から計数値とを受け取り、両方の値を比較し一致した場合、選択起動信号を所定の時間間隔で表示情報選択手段６０に出力する。表示手段８０は、表示情報選択手段６０から受け取った表示情報を表示する。
【００１４】
このように、表示情報遷移手段５０内の表示情報選択手段６０は、選択起動信号に従って、表示手段８０に表示させる表示情報を所定の時間間隔で遷移させ、表示手段８０は、複数の表示情報を遷移して表示する。
【００１５】
つぎに、表示情報生成手段４０が生成する複数の表示情報について、図８を用いて詳しく説明する。
【００１６】
図８（ａ）は、差圧伝送器２から取得した差圧値などの複数の機器情報を有する第１（差圧）表示情報Ｈ１を表す。図８（ａ）において、複数の機器情報として、例えば、差圧値を出力する差圧伝送器２のタグ情報Ｋ１ａ、測定値（ここでは差圧値）の種類を表す測定値種類情報Ｋ１ｂ、測定値（ここでは差圧値）Ｋ１ｃおよび差圧伝送器２の動作状態を表す機器状態情報Ｋ１ｄが示されている。なお、機器状態情報Ｋ１ｄにおいて、「Ｇｏｏｄ」は正常状態を、「Ｂａｄ」は異常状態であることを表す。
【００１７】
同様に、図８（ｂ）は、差圧伝送器２から取得した静圧値などの複数の機器情報を有する第２（静圧）表示情報Ｈ２を表す。
【００１８】
図８（ｃ）は、流量計３から取得した流量値などの複数の機器情報を有する第３（流量）表示情報Ｈ３を表す。
【００１９】
図８（ｄ）は、温度伝送器４から取得した温度１などの複数の機器情報を有する第４（温度１）表示情報Ｈ４を表す。
【００２０】
図８（ｅ）は、温度伝送器４から取得した温度２などの複数の機器情報を有する第５（温度２）表示情報Ｈ５を表す。なお、第１（差圧）表示情報Ｈ１〜第５（温度２）表示情報Ｈ５は、複数の機器情報を含むとともに他の情報を含んでもよく、また複数の機器情報のみからなるものでもよい。
【００２１】
そして、表示情報遷移手段５０は、第１（差圧）表示情報Ｈ１、第２（静圧）表示情報Ｈ２、第３（流量）表示情報Ｈ３、第４（温度１）表示情報Ｈ４、第５（温度２）表示情報Ｈ５の順番で繰り返して、表示手段８０に表示させる表示情報を所定の時間間隔で遷移させる。
【００２２】
つぎに、表示情報遷移手段５０による表示情報の遷移について、図９の動作フローチャート図を用いて説明する。
【００２３】
図９のステップＳ１０において、表示情報選択手段６０は、起動時に表示する初期表示情報を選択し、表示手段８０に出力する。ここでは、初期表示情報を図８（ａ）の第１（差圧）表示情報Ｈ１とする。
【００２４】
図９のステップＳ２０において、計数手段７１は、計数値をゼロにした後、計数を開始する。計数手段７１には、例えば、カウンタまたはタイマーなどが用いられ、カウントアップまたは時間測定が行われる。
【００２５】
ステップＳ３０において、比較手段７３は、比較基準値ＲＥＦと計数手段７１の計数値とを比較する。比較の結果、計数値が比較基準値ＲＥＦより小さければ（ステップＳ３０の「いいえ」）、ステップＳ３０を繰り返す。
【００２６】
一方、両方の値が一致した場合（ステップＳ３０の「はい」）、ステップＳ４０に移行する。ステップＳ４０において、比較手段７３は、選択起動信号を表示情報選択手段６０に出力する。
【００２７】
ここで、比較基準値ＲＥＦは、計数値がゼロから比較基準値ＲＥＦに到達するまでの時間が、所定の時間間隔（例えば２秒）になる値を予め設定する。なお、比較基準値ＲＥＦは、予め記憶手段（図示しない）に格納しておいてもよい。
【００２８】
ステップＳ５０において、表示情報選択手段６０は、選択起動信号に従って、次の表示情報である図８（ｂ）の第２（静圧）表示情報Ｈ２を選択し、表示手段８０に出力する。
【００２９】
これによって、表示情報選択手段６０は、表示手段８０に表示させる表示情報を、第１（差圧）表示情報Ｈ１から第２（静圧）表示情報Ｈ２へ、所定の時間間隔で遷移させる。
【００３０】
ステップＳ６０において、計数手段７１は、計数値をゼロにした後、計数を開始する。この後、ステップＳ３０へ戻り、ステップＳ３０からステップＳ６０を繰り返す。この繰り返しによって、表示手段８０の表示情報は、図８に示すように、図８（ａ）〜（ｅ）の順番で繰り返し遷移する。なお、逆の順番で繰り返し遷移させることもできる。
【００３１】
【非特許文献１】森宏、外３名、「ＣＥＮＴＵＭ  ＣＳ  フィールドバス通信機能」、横河技報、横河電機株式会社、１９９８年４月２０日、Ｖｏｌ．４２  Ｎｏ．２（１９９８）  ｐ．６３−６６
【発明の開示】
【発明が解決しようとする課題】
【００３２】
しかしながら、表示情報の遷移は所定の時間間隔で行われているため、例えば、２秒間隔と短い場合、作業者は、表示情報の確認または記録を行うことが困難であるという問題がある。
【００３３】
また、複数の表示情報が遷移しているため、作業者は、確認したい表示情報を見逃したとき、または再度確認したいとき、この表示情報に遷移して表示されるまで待たなければならないという問題がある。
【００３４】
例えば、図８（ａ）〜（ｅ）に示した表示情報が遷移している場合、作業者は、第１（差圧）表示情報Ｈ１を再度確認したいとき、１０秒間待たなければならない。
【００３５】
本発明の目的は、複数の表示情報の遷移時間間隔を変更して、作業者の表示情報の確認作業を容易にする機器情報表示装置を提供することである。
【課題を解決するための手段】
【００３６】
このような目的を達成するために、請求項１の発明は、
複数の機器情報を有する複数の表示情報を表示する表示手段と、この表示手段に表示する前記表示情報を所定の時間間隔で遷移させる表示情報遷移手段とを備えた機器情報表示装置において、
前記時間間隔の変更指示を検出する少なくとも一つの変更指示検出手段と、
この変更指示検出手段の検出信号に基づいて前記時間間隔を変更する遷移時間変更手段と、
を備えたことを特徴とする。
請求項２の発明は、請求項１に記載の発明において、
前記遷移時間変更手段は、前記時間間隔を現在の時間間隔より長くすることを特徴とする。
請求項３の発明は、請求項１または２に記載の発明において、
前記遷移時間変更手段は、前記時間間隔を現在の時間間隔より短くすることを特徴とする。
請求項４の発明は、請求項２に記載の発明において、
前記遷移時間変更手段は、前記時間間隔を無限の時間間隔にして、現在の時間間隔より長くすることを特徴とする。
請求項５の発明は、請求項３に記載の発明において、
前記遷移時間変更手段は、前記時間間隔をゼロにして、現在の時間間隔より短くすることを特徴とする。
請求項６の発明は、請求項３または５に記載の発明において、
前記遷移時間変更手段は、前記時間間隔を現在の時間間隔より短くし、前記表示情報がＮ回（Ｎは自然数）遷移した後、前記時間間隔を現在の時間間隔より長くすることを特徴とする。
請求項７の発明は、請求項１から６のいずれか一項に記載の発明において、
前記変更指示検出手段は、前記表示手段の周囲に配置したことを特徴とする。
請求項８の発明は、請求項１から７のいずれか一項に記載の発明において、
前記変更指示検出手段は、非接触方式によって検出することを特徴とする。
【発明の効果】
【００３７】
本発明によれば、遷移時間変更手段が、変更指示検出手段の検出信号に基づいて、複数の表示情報の遷移時間間隔を変更することによって、作業者は、確認したい表示情報を確認したい時間だけ、確認または記録をすることができ、また、確認したい表示情報に遷移するまでの待ち時間を短縮することができる。これによって、作業者の確認作業を容易にすることができる。
【発明を実施するための最良の形態】
【００３８】
［第１の実施例］
第１の実施例について図１を用いて説明する。図１は、本発明に係る機器情報表示装置１００の構成図である。
【００３９】
図１において、機器情報表示装置１００は、図７の機器情報表示装置８の構成に加えて、変更指示検出手段１１０および遷移時間変更手段１２０を備える。
【００４０】
機器情報表示装置１００の特徴は、変更指示検出手段１１０および遷移時間変更手段１２０であり、以下に、この特徴を中心に説明する。なお、図７の機器情報表示装置８と同一の構成要素は同一符号を付しており、この説明は省略する。
【００４１】
変更指示検出手段１１０は、表示情報を遷移させる時間間隔（以下、「遷移時間間隔」という）の変更を指示する変更指示信号ＭＤを検出し、この検出信号を遷移時間変更手段１２０に出力する。
【００４２】
遷移時間変更手段１２０は、変更指示検出手段１１０から受け取った検出信号に基づいて遷移時間間隔を変更する。例えば、遷移時間変更手段１２０は、比較基準値ＲＥＦを大きくして遷移時間間隔を長くする、また、比較基準値ＲＥＦを小さくして遷移時間間隔を短くする。
【００４３】
つぎに、変更指示検出手段１１０にホール素子を用いた場合について、図２の変更指示検出手段１１０の構成図により説明する。
【００４４】
図２において、変更指示検出手段１１０（ホール素子）は、内部にホールＩＣスイッチ１１１を備える。
【００４５】
ホールＩＣスイッチ１１１は、外部にある磁石１１２から発生する磁気を検出する。磁石１１２を、ホールＩＣスイッチ１１１に対し一定の距離より遠ざけると、ホールＩＣスイッチ１１１は磁気を検出せず、内部スイッチを回路コモン電圧Ｖｃｏｍに接続する。そして、変更指示検出手段１１０（ホール素子）は、回路コモン電圧Ｖｃｏｍを遷移時間変更手段１２０へ出力する。
【００４６】
一方、磁石１１２を、ホールＩＣスイッチ１１１に対し一定の距離以内に接近させると、ホールＩＣスイッチ１１１は磁気を検出し、内部スイッチを電源電圧Ｖｃｃに接続する。そして、変更指示検出手段１１０（ホール素子）は、電源電圧Ｖｃｃを遷移時間変更手段１２０へ出力する。
【００４７】
そして、作業者は、遷移時間間隔を変更する場合、磁石１１２をホールＩＣスイッチ１１１に接近させることによって、変更指示検出手段１１０（ホール素子）は、磁気（変更指示信号ＭＤ）を検出して、電源電圧Ｖｃｃ（検出信号）を遷移時間変更手段１２０へ出力する。
【００４８】
つぎに、遷移時間変更手段１２０が行う遷移時間間隔変更処理について、動作フローチャートを表す図３を用いて説明する。なお、遷移時間間隔を長くする場合、短くする場合に分けて説明する。
【００４９】
＜遷移時間間隔を長くする場合＞
遷移時間間隔を現在の時間間隔より長くする場合について説明する。図３のステップＳ１００において、遷移時間変更手段１２０は、変更指示検出手段１１０から検出信号を受け取った否かを判断する。受け取っていなければ（ステップＳ１００の「いいえ」）、ステップＳ１００を繰り返す。
【００５０】
一方、受け取っていれば（ステップＳ１００の「はい」）、ステップＳ１１０に移行する。ステップＳ１１０において、遷移時間変更手段１２０は、比較基準値ＲＥＦを、現在設定されている値より大きくする。
【００５１】
ステップＳ１２０において、遷移時間変更手段１２０は、変更指示検出手段１１０から検出信号を受け取った否かを判断する。磁石１１２が、ホールＩＣスイッチ１１１に接近し続けていれば（ステップＳ１２０の「はい」）、ステップＳ１２０を繰り返す。
【００５２】
ステップＳ１２０を繰り返している間、比較基準値ＲＥＦは大きいままであり、この処理と並行して実行される図９のステップＳ３０は、比較基準値ＲＥＦを大きくした分、ステップＳ３０を長く繰り返す（図９のステップＳ３０の「いいえ」）。
【００５３】
このため、表示情報は、この間、次の表示情報に遷移せず、現在表示されている表示情報は、この分長く表示される。例えば、遷移時間間隔が６０秒となるように比較基準値ＲＥＦを大きくすれば、現在表示されている表示情報は、６０秒間表示される。
【００５４】
図３のステップＳ１２０に戻り、磁石１１２が、ホールＩＣスイッチ１１１から遠ざかった場合、遷移時間変更手段１２０は、変更指示検出手段１１０から検出信号を受け取らないので（ステップＳ１２０の「いいえ」）、ステップＳ１３０に移行する。
【００５５】
ステップＳ１３０において、遷移時間変更手段１２０は、比較基準値ＲＥＦを通常の値（例えば、初期設定された比較基準値（時間間隔２秒））に変更する（戻す）。この後、ステップＳ１００へ戻り、ステップＳ１００からステップＳ１３０を繰り返す。
【００５６】
このように、遷移時間変更手段１２０が、変更指示検出手段１１０の検出信号に基づいて、比較基準値ＲＥＦを現在の設定値より大きくし、遷移時間間隔を現在の時間間隔より長くすることによって、作業者は、確認したい表示情報を確認したい時間だけ、確認または記録をすることができ、また、一回の表示時間内に表示情報の確認または記録をすることができる。これによって、作業者の確認作業を容易にすることができる。
【００５７】
つぎに、遷移時間間隔を長くする他の例として、無限にする場合について説明する。この場合、図３のステップＳ１１０において、遷移時間変更手段１２０は、比較基準値ＲＥＦを無限の値にする。
【００５８】
これによって、遷移時間変更手段１２０は遷移時間間隔を無限の時間間隔にする、つまり表示情報の遷移が停止するので、作業者は、確認したい表示情報を、停止している間に確認または記録をすることができ、作業を容易にすることができる。
【００５９】
なお、ステップＳ１１０において、遷移時間変更手段１２０は、計数手段７１の計数動作を停止、または表示情報選択手段６０の選択動作を停止させてもよい。これによって、遷移時間間隔は無限の時間間隔となり、表示情報の遷移を停止することができる。
【００６０】
この処理を実行した場合、ステップＳ１３０において、遷移時間変更手段１２０は、計数手段７１の計数動作を開始、または表示情報選択手段６０の選択動作を開始させる。
【００６１】
＜遷移時間間隔を短くする場合＞
遷移時間間隔を現在の時間間隔より短くする場合について、上述した長くする場合との相違点を中心に説明する。図３のステップＳ１１０において、遷移時間変更手段１２０は、比較基準値ＲＥＦを、現在設定されている値より小さくする。
【００６２】
そして、ステップＳ１２０を繰り返している間、比較基準値ＲＥＦは小さいままであり、この処理と並行して実行される図９のステップＳ３０は、比較基準値ＲＥＦを小さくした分、繰り返し時間を短縮する。
【００６３】
このため、現在表示されている表示情報は、この分短く表示される。例えば、遷移時間間隔が０．５秒となるように比較基準値ＲＥＦを小さくすれば、現在表示されている表示情報は、０．５秒間表示される。
【００６４】
このように、遷移時間変更手段１２０が、変更指示検出手段１１０の検出信号に基づいて、比較基準値ＲＥＦを現在の設定値より小さくし、遷移時間間隔を現在の時間間隔より短くすることによって、作業者は、確認したい表示情報に遷移するまでの待ち時間が短縮されて、作業を容易にすることができる。
【００６５】
例えば、図８（ａ）〜（ｅ）に示した表示情報が遷移している場合、作業者は、第１（差圧）表示情報Ｈ１を再度確認したいとき、２．５秒間の待ち時間で済む。
【００６６】
また、遷移時間間隔を短くする他の例として、図３のステップＳ１１０において、遷移時間変更手段１２０は、比較基準値ＲＥＦをゼロにして、遷移時間間隔をゼロにすることによって、作業者は、確認したい表示情報への遷移待ち時間を無くすことができる。
【００６７】
なお、この動作を行わせるために、ステップＳ１１０において、遷移時間変更手段１２０は、計数手段７１の計数値を比較基準値ＲＥＦに一致させる、または表示情報選択手段６０の選択動作を強制的に行わせてもよい。
【００６８】
［第２の実施例］
第２の実施例について図４を用いて説明する。図４は、遷移時間変更手段１２０が行う遷移時間間隔変更処理の他の例について示した動作フローチャートである。以下に、第１の実施例との相違点を中心に説明する。
【００６９】
図４のステップＳ２００において、遷移時間変更手段１２０は、変更指示検出手段１１０から検出信号を受け取った否かを判断する。受け取っていなければ（ステップＳ２００の「いいえ」）、ステップＳ２００を繰り返す。
【００７０】
一方、受け取っていれば（ステップＳ２００の「はい」）、ステップＳ２１０に移行する。ステップＳ２１０において、遷移時間変更手段１２０は、比較基準値ＲＥＦを、現在設定されている値より小さくする。これによって遷移時間間隔は現在の時間間隔より短くなる。
【００７１】
遷移時間変更手段１２０は、比較基準値ＲＥＦを小さくしたことを表す信号を表示情報選択手段６０へ送る。表示情報選択手段６０は、この信号を受け取ってからＮ回（Ｎは自然数）表示情報を遷移させた後、この動作を行ったことを表す信号（以下、「Ｎ回遷移完了信号」という）を遷移時間変更手段１２０へ送る。
【００７２】
ステップＳ２２０において、遷移時間変更手段１２０は、Ｎ回遷移完了信号の受け取りを待っており、受け取っていなければ（ステップＳ２２０の「いいえ」）、ステップＳ２２０を繰り返す。
【００７３】
一方、受け取っていれば（ステップＳ２２０の「はい」）、ステップＳ２３０に移行する。ステップＳ２３０において、遷移時間変更手段１２０は、比較基準値ＲＥＦを、現在設定されている値より大きくする。これによって遷移時間間隔は現在の時間間隔より長くなる。
【００７４】
ステップＳ２４０において、遷移時間変更手段１２０は、変更指示検出手段１１０から検出信号を受け取った否かを判断する。磁石１１２が、ホールＩＣスイッチ１１１に接近し続けていれば（ステップＳ２４０の「はい」）、ステップＳ２４０を繰り返す。
【００７５】
現在の表示を図８（ａ）の第１（差圧）表示情報Ｈ１、ステップＳ２１０で短くした遷移時間間隔を０．５秒、ステップＳ２２０のＮを「１」、ステップＳ２３０で長くした遷移時間間隔を６０秒とした場合、ここまでの処理によって以下の動作が可能となる。
【００７６】
作業者の確認したい情報が図８（ｂ）の第２（静圧）表示情報Ｈ２である場合、表示情報は、第２（静圧）表示情報Ｈ２に迅速（０．５秒後）に遷移した後、第２（静圧）表示情報Ｈ２は、長く（６０秒間）表示される。
【００７７】
なお、作業者の確認したい情報が図８（ｃ）の第３（流量）表示情報Ｈ３である場合、Ｎを「２」とすれば、第３（流量）表示情報Ｈ３に迅速（１秒後（０．５秒×２））に遷移した後、第３（流量）表示情報Ｈ３は、長く（６０秒間）表示される。このＮの値は、記憶手段（図示しない）に格納されて、変更することができる。
【００７８】
図４のステップＳ２４０に戻り、磁石１１２が、ホールＩＣスイッチ１１１から遠ざかった場合、遷移時間変更手段１２０は、変更指示検出手段１１０から検出信号を受け取らないので（ステップＳ２４０の「いいえ」）、ステップＳ２５０に移行する。
【００７９】
ステップＳ２５０において、遷移時間変更手段１２０は、比較基準値ＲＥＦを通常の値に変更する（戻す）。この後、ステップＳ２００へ戻り、ステップＳ２００からステップＳ２５０を繰り返す。
【００８０】
このように、遷移時間変更手段１２０が、変更指示検出手段１１０の検出信号に基づいて、遷移時間間隔を現在の時間間隔より短くし、表示情報がＮ回遷移した後、遷移時間間隔を現在の時間間隔より長くすることによって、作業者は、確認したい表示情報に遷移するまでの待ち時間が短縮されるとともに、この表示情報を確認したい時間だけ確認または記録をすることができ、また、一回の表示時間内に表示情報の確認または記録をすることができる。これによって、作業者の確認作業を容易にすることができる。
【００８１】
［第３の実施例］
第３の実施例について図５を用いて説明する。図５は、表示手段８０と変更指示検出手段１１０ａ〜１１０ｄとの配置図である。
【００８２】
図５において、プリント基板１１５の上に表示手段８０が配置され、表示手段８０の周囲に４つの変更指示検出手段１１０ａ〜１１０ｄが配置されている。
【００８３】
詳しくは、表示手段８０の上側、下側、左側、右側に、変更指示検出手段１１０ａ〜１１０ｄがそれぞれ配置されている。
【００８４】
変更指示検出手段１１０ａ〜１１０ｄは、遷移時間変更手段１２０に変更指示検出信号をそれぞれ出力する。
【００８５】
遷移時間変更手段１２０は、一例として、以下の（１）〜（４）の動作を行う。
（１）遷移時間変更手段１２０は、変更指示検出手段１１０ａからの検出信号に基づいて、比較基準値ＲＥＦを現在の設定値より大きくし、遷移時間間隔を現在の時間間隔より長くする。
（２）遷移時間変更手段１２０は、変更指示検出手段１１０ｂからの検出信号に基づいて、比較基準値ＲＥＦを無限の値にし、表示情報の遷移を停止する。
（３）遷移時間変更手段１２０は、変更指示検出手段１１０ｃからの検出信号に基づいて、比較基準値ＲＥＦを現在の設定値より小さくし、遷移時間間隔を現在の時間間隔より短くする。
（４）遷移時間変更手段１２０は、変更指示検出手段１１０ｄからの検出信号に基づいて、比較基準値ＲＥＦをゼロにし、遷移時間間隔をゼロにする。
【００８６】
そして、作業者は、変更したい遷移時間に対応した変更指示検出手段１１０ａ〜１１０ｄに磁石１１２を接近させる。
【００８７】
これによって、作業者は、変更指示検出手段１１０ａ、１１０ｂを介して、確認したい表示情報を確認したい時間だけ、確認または記録をすることができ、また、変更指示検出手段１１０ｃ、１１０ｄを介して、確認したい表示情報に遷移するまでの待ち時間を短縮することができる。これによって、作業者の確認作業を容易にすることができる。
【００８８】
このように、遷移時間を長くしたい、短くしたいなどの作業者の要求に対して、柔軟に対応できる。
【００８９】
なお、遷移時間変更手段１２０は、変更指示検出手段１１０ａ〜１１０ｄのいずれかの検出信号に基づいて、第２の実施例で説明した処理をすることができる。
【００９０】
各実施例で説明した変更指示検出手段１１０は、磁気を用いた非接触方式によって変更指示信号ＭＤを検出するものである。非接触方式による検出の他の例として、赤外線通信可能なリモートコントローラによる赤外線、無線マウスによる無線を用いることができる。
【００９１】
このように、変更指示検出手段１１０は、非接触方式によって変更指示信号ＭＤを検出することで、機器情報表示装置１００は、防爆領域などの爆発性ガスが存在する危険雰囲気中においても使用することができる。
【００９２】
また、機器情報取得手段３０、表示情報生成手段４０、表示情報遷移手段５０、表示情報選択手段６０、選択起動信号生成手段７０、計数手段７１、比較手段７３および遷移時間変更手段１２０は、所定のプログラムを実行するＣＰＵなどのプロセッサによって実現されてもよく、論理回路などによって実現されてもよい。表示手段８０は、液晶表示、ＣＲＴなどの各種表示手段を用いることができる。
【００９３】
また、フィールドバス５は、デジタル信号を伝送するファウンデーションフィールドバス、プロフィーバスを用いることができる。なお、４〜２０ｍＡに代表されるアナログ信号を用いて、フィールド機器からの個別のケーブルを介して、機器情報が機器情報表示装置１００へ伝送される形態であってもよい。
【００９４】
機器情報表示装置１００に接続される機器は、フィールド機器のほか、各種の測定機器であってもよい。
【００９５】
なお、本発明は、前述の実施例に限定されることなく、その本質を逸脱しない範囲で、さらに多くの変更および変形を含む。また、前述した各手段の組み合わせ以外の組み合わせを含むことができる。
【図面の簡単な説明】
【００９６】
【図１】本発明を適用した機器情報表示装置の構成図の例である。
【図２】本発明を適用した変更指示検出手段の構成図の例である。
【図３】図１に示した遷移時間変更手段の動作フローチャート図の例である。
【図４】図１に示した遷移時間変更手段の動作フローチャート図の他の例である。
【図５】表示手段と変更指示検出手段との配置図の例である。
【図６】背景技術で示した分散制御システムの構成図の例である。
【図７】図６に示した機器情報表示装置の構成図の例である。
【図８】図７に示した機器情報表示装置で生成、表示される表示情報の例である。
【図９】図７に示した表示情報遷移手段の動作フローチャート図の例である。
【符号の説明】
【００９７】
３０  機器情報取得手段
４０  表示情報生成手段
５０  表示情報遷移手段
６０  表示情報選択手段
７０  選択起動信号生成手段
７１  計数手段
７３  比較手段
８０  表示手段
１００  機器情報表示装置
１１０  変更指示検出手段
１２０  遷移時間変更手段
ＲＥＦ  比較基準値
【図１】
2010133809.tif 000003
【図２】
2010133809.tif 000004
【図３】
2010133809.tif 000005
【図４】
2010133809.tif 000006
【図５】
2010133809.tif 000007
【図６】
2010133809.tif 000008
【図７】
2010133809.tif 000009
【図８】
2010133809.tif 000010
【図９】
2010133809.tif 000011